(57)【要約】【課題】出力されるプリントのサイズに応じた画像を提供する。【解決手段】撮影によって得られた撮影画像の画像データから、入力されたプリントサイズの大きさのプリントサイズの画像の画像データを生成し、生成したプリントサイズの画像からＬＣＤ２４に表示可能な表示領域の画像の画像データを抽出し、ＬＣＤ２４に表示することができるので、ユーザに対して出力された状態の撮影画像を視認可能に提供することができる。【選択図】  図１
2004320111.tif 000002
【特許請求の範囲】
【請求項１】
撮影によって得られる画像データによる撮影画像の出力サイズを設定する設定手段と、
入力された画像データの画像を表示する表示手段と、
前記撮影画像の画像データについて前記設定手段による前記出力サイズで出力した大きさの一時画像の一時画像データを生成した後に、前記一時画像データによる大きさの一時画像の一部を前記表示手段へ表示する表示領域として設定し、かる該表示領域に含まれる一時画像データを表示用の画像データとして前記表示手段へ出力する出力画像データ生成手段と、
を備えたことを特徴とする撮像装置。
【請求項２】
前記設定手段は、前記撮影画像の出力サイズを撮影画像の画像コマ毎に設定するコマ設定手段を含むことを特徴とする請求項１に記載の撮像装置。
【請求項３】
前記撮影画像の出力サイズと前記撮影画像の画像データとを関連付けて記憶する記憶手段を更に備えることを特徴とする請求項１または請求項２に記載の撮像装置。
【請求項４】
前記設定手段は、前記表示領域を設定する表示領域設定手段を含むことを特徴とする請求項１または請求項３の何れか１項に記載の撮像装置。
【発明の詳細な説明】
【０００１】
【発明の属する技術分野】
本発明は、撮像装置に係り、特にデジタルカメラ等の撮像装置に関する。
【０００２】
【従来の技術】
従来、撮像装置、特にデジタルカメラでは、撮影によって得られた撮影画像の画像データを記録媒体に記録することが行われている。このデジタルカメラには、記録された画像データをＬＣＤ（液晶表示装置）に表示することができるものもある。この技術によれば、撮影画像の画像データを圧縮処理や間引き等の画像処理によって、画像データの少なくとも一部を含むように縮小した縮小画像データを作成し、この縮小画像をＬＣＤに表示する。これにより、使用者が撮影画像を確認することができるようになっている。
【０００３】
また、このような技術において、パノラマサイズ及びコンベンショナルサイズ等のプリントサイズ情報に応じた縦横比の縮小画像をＬＣＤに表示する技術が開示されている（例えば、特許文献１参照）。この技術によれば、プリントされる画像の縦横比に応じて縮小された撮影画像の縮小画像を使用者に対して提供することができる。
【０００４】
【特許文献１】
特開平１０−４８７３０号公報  （第６頁―７頁、図５）
【０００５】
【発明が解決しようとする課題】
しかしながら、上記従来技術では、縮小画像をＬＣＤに表示することによって、撮影画像をプリントされる画像と略同様のイメージで提供することが可能であるが、表示される画像は、ＬＣＤに応じて撮影画像の少なくとも一部を含むように縮小された画像であり、プリント出力される撮影画像の解像度とは異なる。このため、ＬＣＤに表示された縮小画像からは視認されないブレやピンボケ等の撮影者の意図しない画像が出力されることがあった。
【０００６】
本発明は、上記問題点を解決するためになされたもので、出力されるプリントのサイズに応じた画像を提供することが可能な撮像装置を提供することを目的とする。
【０００７】
【課題を解決するための手段】
上記目的を達成するために本発明の撮像装置は、撮影によって得られる画像データによる撮影画像の出力サイズを設定する設定手段と、入力された画像データの画像を表示する表示手段と、前記撮影画像の画像データについて前記設定手段による前記出力サイズで出力した大きさの一時画像の一時画像データを生成した後に、前記一時画像データによる大きさの一時画像の一部を前記表示手段へ表示する表示領域として設定し、かる該表示領域に含まれる一時画像データを表示用の画像データとして前記表示手段へ出力する出力画像データ生成手段と、を備えることを特徴としている。
【０００８】
本発明の撮像装置は、設定手段を備えており、撮影によって得られる画像データによる撮影画像の出力サイズを設定する。出力サイズは、用紙、印画紙等の記録媒体、及びＣＲＴやＬＣＤ等の撮影画像を表示可能な表示装置等へ出力された撮影画像の画像サイズを示すものである。生成手段は、撮影画像の画像データについて、設定手段によって設定された出力サイズで出力した大きさの一時画像の一時画像データを生成する。次に、生成手段は、一時画像データによる大きさの一時画像の一部を、表示手段へ表示する表示領域として設定する。表示領域は、一時画像の内の表示手段に表示可能な範囲内の領域である。生成手段は、該表示領域に含まれる一時画像データを表示用の画像データとして表示手段へ出力する。表示手段は、入力された表示用の画像データの画像を表示する。
【０００９】
従って、設定された出力サイズに応じた大きさの一時画像の一時画像データの一部を表示領域として設定し、該表示領域に含まれる一時画像データを表示することができるので、撮像装置において、出力されるプリントサイズに応じた画像を視認可能に提供することができ、ユーザに対して出力された状態の撮影画像を視認可能に提供することができる。
【００１０】
前記設定手段は、前記撮影画像の出力サイズを撮影画像の画像コマ毎に設定するコマ設定手段を含むことができる。撮影によって得られた撮影画像は、得られた画像コマ毎に異なる出力サイズで出力される場合がある。そこで、設定手段は、撮影画像の出力サイズを撮影画像の画像コマ毎に設定することができるので、撮影画像の画像コマ毎の出力サイズに応じた一時画像の表示領域の画像を提供することができる。
【００１１】
前記撮影画像の出力サイズと前記撮影画像の画像データとを関連付けて記憶する記憶手段を更に備えることができる。表示手段に表示された出力画像データの画像は、設定手段によって設定された出力サイズでの出力が望まれる場合がある。そこで、撮影画像の出力サイズと撮影画像の画像データとを関連付けて記憶する記憶手段を設けるようにすれば、撮影画像の出力時に記憶手段に記憶された出力サイズを利用することが可能となる。
【００１２】
前記設定手段は、前記表示領域を設定する表示領域設定手段を含むことができる。設定手段は、表示領域を設定する表示領域設定手段を含むことができるので、表示手段に表示された表示領域以外の表示領域に含まれる一時画像データを表示することができる。
【００１３】
【発明の実施の形態】
本発明の撮像装置に係るデジタルカメラの一の実施の形態を図面に基づき説明する。
【００１４】
図１には、本実施の形態に係るデジタルカメラ１０の主要構成をブロック図として示した。
【００１５】
デジタルカメラ１０は、ＣＣＤ（Ｃｈａｒｇｅ  Ｃｏｕｐｌｅｄ  Ｄｅｖｉｃｅ）５０を備えている。ＣＣＤ５０は、レンズ１６により得られる被写体からの反射光を撮影画像を示すアナログ画像データ（以下、画像データという）に変換して出力するためのものである。また、デジタルカメラ１０は、ＣＤＳ（Ｃｏｒｒｅｌａｔｅｄ  Ｄｏｕｂｌｅ  Ｓａｍｐｌｉｎｇ）５２、アナログ／デジタル変換器（以下、Ａ／Ｄ変換器という）５４、タイミングジェネレータ（以下、ＴＧという）５６、モータドライバ５８、及び主制御部６０を備えている。
【００１６】
ＣＤＳ５２は、ＣＣＤ５０から出力された被写体像を示す出力信号を相関二重サンプリング処理すると共に、Ｒ、Ｇ、Ｂの各色信号に色分解処理して、各色信号の信号レベルの調整を行うためのものである。Ａ／Ｄ変換器５４は、ＣＤＳ５２により処理されたアナログ信号をデジタル信号に変換し主制御部６０へ出力するためのものである。ＴＧ５６は、ＣＣＤ５０を駆動するためのタイミング信号を生成するためのものである。モータドライバ５８は、レンズ１６に含まれる撮影倍率を変更するためのズームモータ、ＣＣＤ５０面上に被写体像を合焦させるためのＡＦ（Ａｕｔｏ  Ｆｏｃｕｓ）モータ、及び絞りやシャッタを駆動するためのアイリスシャッタモータ等の各種モータを駆動するためのものである。
【００１７】
ＣＣＤ５０から出力された被写体像を示すアナログ画像信号は、ＣＤＳ５２による処理が施され、Ａ／Ｄ変換器５４によりデジタル画像信号に変換された後、画像データとして、画像入力制御部６２を介して主制御部６０内に入力される。
【００１８】
主制御部６０は、デジタルカメラ１０の全体的な動作を司るためのものであって、ＣＰＵ８２、ＥＥＲＯＭ８０、及びＲＡＭ６６からなるマイクロコンピュータを含んで構成される。これらのＣＰＵ８２、ＥＥＲＯＭ８０、及びＲＡＭ６６を含むデバイスは、データやコマンドの授受が可能なようにバス８４で接続されている。ＲＡＭ６６は、主としてワークメモリとして用いられ、ＥＥＰＲＯＭ８０は、各種プログラムやパラメータ等の情報を予め記憶するためのものである。
【００１９】
また、主制御部６０には、信号処理部６４、表示制御部６８、メディア制御部７２、及び圧縮伸長処理回路７０が設けられている、これらの信号処理部６４、表示制御部６８、メディア制御部７２、及び圧縮伸長処理回路７０は、バス８４に接続されており、バス８４を介してデータやコマンドの授受が可能な構成となっている。
【００２０】
画像入力制御部６２は、Ａ／Ｄ変換器５４から入力された画像データに対して所定のデジタル信号処理を行うものであって、ゲイン調整回路、ガンマ補正回路、及び輝度・色差信号処理回路（ＹＣ処理回路という）を含んで構成される。Ａ／Ｄ変換器５４から入力された画像データは、ゲイン調整回路で増幅処理された後、ガンマ補正回路においてガンマ補正処理が施され、ＹＣ処理回路において輝度（Ｙ信号）及び色差信号（Ｃｒ、Ｃｂ信号）に変換される所定のデジタル信号処理が行われてＲＡＭ６６に格納される。
【００２１】
メディア制御部７２は、メモリカード等の記録メディア１８に対して画像データを含む各種データを読み書きするためのものである。記録メディア１８は、後述するスロットに装填されることによってメディア制御部７２に接続され、データの授受が可能となる。
【００２２】
圧縮伸長処理回路７０は、画像データを圧縮・伸長するためのものである。ＲＡＭ６６に格納された画像データは、圧縮伸長処理回路７０でＪＰＥＧなどの所定の圧縮方式で圧縮された後、メディア制御部７２を介して、記録メディア１８に記録される。なお、画像データの圧縮は必須ではなく、圧縮伸長処理回路７０による圧縮処理は省略することが可能である。
【００２３】
表示制御部６８は、画像再生処理回路６７及びビデオエンコード回路６９を含んで構成され、記録メディア１８に記録された画像データの画像をＬＣＤ２４に表示する。画像再生処理回路６７は、撮影によって得られた撮影画像の画像データをＬＣＤ２４に表示可能となるように画像データの少なくとも一部を含むように縮小した縮小画像（以下、ＬＣＤサイズの画像という）の生成、及び後述するスイッチのユーザによる操作指示によって入力されたプリントサイズに応じた大きさの画像（以下、プリントサイズの画像という）の画像データを作成するためのものである。プリントサイズとは、撮影によって得られた撮影画像を用紙、印画紙等の記録媒体やＣＲＴやＬＣＤ等の撮影画像を表示可能な表示装置へ出力したときの、出力される画像サイズを示すものである。この出力される画像サイズの一例には、Ａ３、Ａ４、及びＬサイズ等がある。本実施の形態では、上記Ａ３、Ａ４、及びＬサイズを示すデータが予めＥＥＰＲＯＭ８０に記憶されているものとする。なお、プリントサイズの画像の画像データは、本発明の一時画像データに相当する。
【００２４】
出力処理は、図示は省略するが、例えば、出力処理を行う機能を有する外部処理装置等において実行される。外部処理装置では、例えば、画像データに対して、所定の画像処理を行って、ユーザによって指定されたサイズの記録媒体に撮影画像を記録してプリントを作成し、画像を出力する。これによって、ユーザによって指定されたプリントサイズの撮影画像のプリントが得られる。また、外部処理装置に設けられた表示部に撮影画像をユーザによって指定されたサイズで表示する。上記作成された画像データのＬＣＤサイズの画像、または作成された画像データのプリントサイズの画像は、ビデオエンコード回路６９の制御によって、ＬＣＤ２４に表示される。ビデオエンコード回路６９は、作成された画像データのプリントサイズの画像の内のＬＣＤ２４に表示可能な表示領域の画像を抽出（詳細後述）してＬＣＤ２４に出力するためのものである。
【００２５】
また、ＣＰＵ８２には、Ｉ／Ｏ４４を介してスイッチ２９が接続されている。スイッチ２９は、各種指示入力による信号を入力するためのものである。なお、図示は省略するが、ＣＰＵ８２に更に、音声を入力するためのマイク、及び音声を出力するためスピーカ等を設けてもよい。
【００２６】
図２には、本実施の形態のデジタルカメラ１０の外観図の一例を示した。
【００２７】
図２（Ａ）に示すように、デジタルカメラ１０の筐体１１の正面には、撮影される被写体像と略同等の像を示す光が入射するファインダー窓１４、及び被写体像を結像させるためのレンズ１６が設けられている。筐体１１の側面には、記録メディア１８を装着可能なカードスロット２０が設けられている。また、図示は省略するが、この側面には、ＵＳＢ端子等の外部通信用ポートが設けることができる。外部通信用ポートは、画像データの記憶や各種編集等を行うためのパーソナル・コンピュータ（以下、ＰＣという）等の外部処理装置と接続するためのケーブル（図示省略）の一端を装着するためのものである。
【００２８】
また、筐体１１の背面には、図２（Ｂ）に示すように、ＬＣＤ２４が設けられている。このＬＣＤ２４には、ＬＣＤサイズの画像、プリントサイズの画像、及び各種メニュー項目等のデータを表示することができる。また、ＬＣＤ２４の近傍には、十字ボタン２８、実行ボタン３６、メニューボタン３８、及びキャンセルボタン４０が設けられている。十字ボタン２８は、ＬＣＤ２４上に表示されるメニュー項目の項目選択、表示される画像の表示領域の変更、及び次のコマ画像の表示等を指示する際にユーザによって操作され、この円形の十字ボタン２８の軸性を上下左右に傾斜することで、それぞれに傾斜させたときに異なるスイッチの接点が切り替わり、当該切り替え信号が図示を省略したＩ／Ｏを介してＣＰＵ８２に入力されるようになっている。実行ボタン３６は、十字ボタン２８による選択結果に基づく設定などの各種処理の実行を指示する際にユーザによって押圧操作されるものである。メニューボタン３８は、メニュー項目の表示を指示する際にユーザによって押圧操作されるものである。キャンセルボタン４０は、各種処理のキャンセルを指示する際に押圧操作される。
【００２９】
また、ＬＣＤ２４の近傍には、ファインダー接眼部２６が設けられており、ファインダー接眼部２６は、ファインダー窓１４から入射した光が図示しない光学部材を介して案内され、撮影する被写体像の構図を決定する際にユーザによって覗かれるためのものである。
【００３０】
また、筐体１１の上面には、撮影を指示する際にユーザによって押圧操作されるレリーズスイッチ３２、デジタルカメラ１０の各部への電源電力の供給／供給停止の切り替えを行う電源スイッチ３０、及び撮影モードを選択する際に撮影者によって回転操作されるモードダイヤル３４が設けられている。例えば、モードダイヤル３４とメニューボタン３８とが操作されると、ＬＣＤ２４上には、例えば、各種設定を行うためのセットアップ画面が表示されるようになっている。上記電源スイッチ３０、レリーズスイッチ３２、モードダイヤル３４、十字ボタン２８、実行ボタン３６、メニューボタン３８、及びキャンセルボタン４０は、スイッチ２９として機能する。
【００３１】
なお、図示を省略するが、筐体１１の全面には、レンズ１６が露出可能な開口部１７に、図示を省略した円板状のシャッターを取り付けることも可能である。このシャッターは、デジタルカメラ１０の電源スイッチ３０の動作に連動して、前記開口部１７を閉止する位置並びに開口する位置に移動可能な駆動系５９を備えている。すなわち、電源がオフの状態では、シャッターは開口部１７を閉止することでレンズ１６を保護し、電源がオンの状態では、シャッターを開口部１７から退避させることで、撮影可能な状態とすることができるようになっている。
【００３２】
次に、上記実施の形態に係るデジタルカメラ１０の作用を説明する。
【００３３】
図３には、ＣＰＵ８２で実行される処理ルーチンを示した。電源スイッチ３０によりデジタルカメラ１０に電源が投入されるとステップ１００へ進み、ステップ１００では、プリントサイズ設定指示がなされたか否かを判断する。プリントサイズ設定指示とは、撮影画像を出力するプリントサイズを設定するための指示である。ステップ１００の判断は、スイッチ２９の指示入力を判別することで可能である。
【００３４】
例えば、ＬＣＤ２４にプリントサイズ設定指示項目を含むメニューを表示し、表示された各種メニュー項目の中からプリントサイズ設定指示項目が使用者による十字ボタン２８の操作で選択された後に、実行ボタン３６が押圧操作されたときにプリントサイズ設定指示信号を出力するようにする。このプリントサイズ設定指示信号の入力を判別することによって、プリントサイズ設定指示がなされたか否かを判断することが可能である。この場合、指示選択のための各種メニュー項目は、ユーザによってメニューボタン３８が押圧操作されたときに、ＬＣＤ２４上に表示されるようにすればよい。
【００３５】
上記ステップ１００で肯定されるとステップ１０２へ進み、プリントサイズ設定モードが指示されたことを示すデータをＲＡＭ６６に格納することによってプリントサイズ設定モードをＯＮに設定した後に、ステップ１０４へ進む。
【００３６】
ステップ１０４では、撮影画像全適用指示がなされたか否かを判断する。撮影画像全適用指示とは、電源スイッチ３０の操作によりデジタルカメラ１０への電源供給が切断されるまでの間に、後述する撮影処理によって得られる全画像データの撮影画像のプリントサイズを一括設定するための指示である。ステップ１０４の判断は、スイッチ２９の指示入力を判別することで可能である。例えば、ＬＣＤ２４にプリントサイズ一括設定項目及び撮影画像毎のプリントサイズ設定を示す項目を表示してユーザに対して指示入力を促す。そして、ユーザによる十字ボタン２８の操作によりプリントサイズ一括設定項目が選択された後に、実行ボタン３６が押圧操作されると、プリントサイズ一括設定を示す信号を出力する。このプリントサイズ一括設定を示す信号の入力を判別することによって判断可能である。
【００３７】
ステップ１０４で否定され、撮影画像毎のプリントサイズ設定指示がなされた場合、本ルーチンを終了し、肯定されるとステップ１０６へ進む。ステップ１０６では、プリントサイズの入力がなされるまで否定判断を繰り返し、肯定されるとステップ１０８へ進む。ステップ１０６の判断は、スイッチ２９の指示入力を判別することで可能である。例えば、上記と同様にＬＣＤ２４にＡ３サイズ、Ａ４サイズ、及びＬサイズ等の複数種のプリントサイズを表示する。そして、表示された各種プリントサイズの中からユーザの意図するプリントサイズが選択された後に、実行ボタン３６が押圧操作されたときに出力される選択されたプリントサイズに応じたプリントサイズ信号を用いればよい。このプリントサイズ信号が出力されたか否かを判別することによって、プリントサイズの入力を判断することが可能である。
【００３８】
なお、ステップ１０６においてユーザの操作によりキャンセルボタン４０の押圧操作による信号の入力がなされると、本ルーチンを終了するようにしてもよい。
【００３９】
次に、ステップ１０８では、上記ステップ１０６で入力されたプリントサイズを示すデータをＲＡＭ６６に格納した後に本ルーチンを終了する。なお、本実施の形態では、ＲＡＭ６６に記憶された各種データは、ユーザの電源スイッチ３０によるデジタルカメラ１０への電源の切断時にクリアされるものとする。
【００４０】
上記ステップ１００乃至ステップ１０８の処理によって、プリントサイズ設定モードがＯＮに設定されるとともに、撮影によって得られる全画像（本実施の形態では電源ＯＮからオフまでの間に撮影される撮影画像）に適用されるプリントサイズが格納される。
【００４１】
一方、上記ステップ１００で否定されると、ステップ１１０へ進み、撮像指示がなされたか否かを判断する、ステップ１１０の判断は、レリーズスイッチ３２による信号受信によって押圧操作されたか否かを判別することにより判断可能である。
【００４２】
ステップ１１０で肯定されると、ステップ１１２へ進み、撮影処理が実行される。この撮影処理は、被写体を撮影するときにおけるＣＣＤ５０からのＴＧ５６及びモータドライバ５８による焦点調整、ズーム、レンズ等による画角調整、そして露光調整などのデジタルカメラ１０の各種駆動部を駆動して、撮影画像を得るものである。この撮影処理によって、撮影画像の画像データが得られ、ＲＡＭ６６に格納される。
【００４３】
次にステップ１１４では、プリントサイズ設定モードがＯＮであるか否かを判断する。ステップ１１４の判断は、ＲＡＭ６６にプリントサイズ設定モードが指示されたことを示すデータが格納されているか否かを判別することによって判断可能である。ステップ１１４で肯定されると、ステップ１１６へ進み、否定されると、ステップ１２４へ進み、ＲＡＭ６６に格納した画像データを記録メディア１８に格納した後に本ルーチンを終了する。
【００４４】
ステップ１１６では、全画像用プリントサイズが設定済みであるか否かを判断する。ステップ１１６の判断は、ＲＡＭ６６に全画像用のプリントサイズを示すデータが格納されているか否かを判別することによって判断可能である。ステップ１１６で肯定されると、ステップ１１８へ進み、ＲＡＭ６６に格納された全画像用のプリントサイズを示すデータを読取る。次にステップ１２２において、上記ステップ１１２の撮影処理によって得られた画像データと読取ったプリントサイズを示すデータとを関連付けて記録メディア１８に記憶した後に本ルーチンを終了する。
【００４５】
一方、上記ステップ１１６で否定されると、ステップ１２０へ進み、プリントサイズの入力がなされるまで否定判断を繰り返す。ステップ１２０の判断は、上記ステップ１０６の判断と同様に、スイッチ２９の押圧指示を判別することで可能である。ステップ１２０で肯定されるとステップ１２１へ進み、上記ステップ１２０で入力されたプリントサイズを示すデータと上記ステップ１１２の撮影処理によって得られた画像データとを関連付けて記録メディア１８に記憶した後に本ルーチンを終了する。
【００４６】
なお、本実施の形態では、プリントサイズを示すデータと撮影処理によって得られた画像データとを関連付けて記録メディア１８に記憶する場合を説明したが、プリントサイズを示すデータを記録メディア１８に記憶しない形態も可能である。例えば、撮影によって得られた画像データに対して撮影記録順に各々の画像データを識別可能なコマ番号を付与し、該コマ番号と上記プリントサイズを示すデータとを関連づけてＲＡＭ６６に格納するとともに、該コマ番号と対応する画像データとを記録メディア１８に記憶するようにしてもよい。
【００４７】
上記ステップ１１４乃至ステップ１２２の処理によって、撮影によって得られた撮影画像の画像データを、該撮影画像のユーザが所望とするプリントサイズを示すデータとともに記録メディア１８に記録することができる。また、ステップ１１６、ステップ１２０、及びステップ１２１の処理によって、撮影によって得られる撮影画像毎にプリントサイズを設定することが可能となる。
【００４８】
一方、上記ステップ１１０で否定されるとステップ１２４へ進み、再生指示がなされたか否かを判断する。この再生指示とは、撮影画像の画像データのＬＣＤサイズの画像またはプリントサイズの画像を、ＬＣＤ２４へ表示するための指示である。ステップ１２６の判断は、ユーザによるモードダイヤル３４の操作指示による入力信号を判別することによって可能である。
【００４９】
ステップ１２６で肯定されると、ＬＣＤ２４へ、記録メディア１８に記録された画像データのＬＣＤサイズの画像またはプリントサイズの画像を表示する再生処理（詳細後述）が実行された後に本ルーチンを終了し、否定されると、ステップ１３０へ進み、その他の処理が実行される。その他の処理は、デジタルカメラ１０に装備された他の処理を実行するものであり、例えば、縮小画像の色補正処理などの処理がある。
【００５０】
次に、ステップ１２８の再生処理について図４を用いて説明する。
【００５１】
なお、再生処理では、撮影記録順、すなわち、昇順再生が開始され、十字ボタン２８の左右矢印部分がユーザによって操作される毎に再生指示コマ番号をインクリメント又はデクリメントすることができるものとする。
【００５２】
ステップ２００では、画像データ読取り処理が実行される。ステップ２００の処理は、記録メディア１８に記憶された画像データを読取るものである。
【００５３】
次にステップ２０２では、上記ステップ２００で読取った画像データに関連づけてプリントサイズを示すデータが記録メディア１８に記憶されているか否かを判断する。
【００５４】
ステップ２０２で肯定されるとステップ２０４へ進み、上記ステップ２００で読取った画像データの画像を上記ステップ２０２で読取ったプリントサイズの大きさに拡大または縮小したプリントサイズの画像を生成する画像生成処理が実行される。ステップ２０２の処理によって、撮影画像の画像データをユーザによる操作指示によって入力されたプリントサイズに応じた大きさのプリントサイズの画像の画像データが作成される。
【００５５】
次にステップ２０５において、上記ステップ２０４で生成されたプリントサイズの画像から、ＬＣＤ２４に表示可能な領域を抽出する画像抽出処理が実行される。本実施の形態では、上記プリントサイズの画像の中心部に相当する領域のＬＣＤ２４に表示可能な領域が抽出される。例えば、ＬＣＤ２４に表示可能な領域の抽出は、予めＥＥＰＲＯＭ８０にＬＣＤ２４の表示範囲を示すデータを記憶するようにし、上記プリントサイズの画像の中央部における、上記ＥＥＰＲＯＭ８０に予め記憶された表示範囲に相当する領域の画像を抽出することによって実行される。
【００５６】
次にステップ２０６において、プリントサイズの画像の上記ステップ２０５で抽出された表示領域の画像をＬＣＤ２４に表示する。なお、上記ステップ２０６の表示処理実行中に、十字ボタン２８がユーザによって操作されると、ＬＣＤ２４に表示された画像の表示領域を変更することも可能である。
【００５７】
一方、上記ステップ２０２で否定されると、ステップ２０８へ進み、ＬＣＤサイズの画像生成処理が実行される。ステップ２０８の処理は、撮影画像の画像データをＬＣＤ２４に表示可能となるように画像データの少なくとも一部を含むように縮小した縮小画像を生成するものである。次にステップ２１０において、上記ステップ２０８で生成されたＬＣＤサイズの画像をＬＣＤ２４へ表示する。
【００５８】
次にステップ２１２では、サイズ変更指示がなされたか否かを判断する。ステップ２１２の判断は、ＬＣＤ２４へのＬＣＤサイズの画像またはプリントサイズの画像の表示処理中に、スイッチ２９の指示入力を判別することで判断可能である。例えば、図６に示すように、プリントサイズの画像が表示されたＬＣＤ２４上に、Ａ３サイズ、Ａ４サイズ、及びＬサイズ等のプリントサイズを示す項目３１０を表示する。そして、表示された各種プリントサイズを示す項目３１０の中からユーザの意図するプリントサイズが十字ボタン２８の操作によって選択された後に、実行ボタン３６が押圧操作されたときに、選択されたプリントサイズに応じたプリントサイズを示す信号を出力するようにすればよい。このプリントサイズ信号の入力によって、プリントサイズの変更指示がなされたか否かを判断することができる。
【００５９】
次に、ステップ２１４では、上記ステップ２１２で入力されたプリントサイズを示す信号に応じたプリントサイズを示すデータをＲＡＭ６６に記憶し、次のステップ２１６において、上記ステップ２０４と同様にプリントサイズの画像が作成される。次にステップ２１７では、上記ステップ２０５と同様に、上記ステップ２１６で生成されたプリントサイズの画像から、ＬＣＤ２４に表示可能な領域を抽出する画像抽出処理が実行される。次にステップ２１８では、上記ステップ２０６と同様に、プリントサイズの画像の上記ステップ２１７で抽出された表示領域の画像をＬＣＤ２４に表示する。
【００６０】
次にステップ２２０では、変更サイズの記憶指示が入力されたか否かを判断する。変更サイズの記憶指示は、上記ステップ２１２で肯定されることによって、サイズ変更指示されてＲＡＭ６６に記憶されたプリントサイズへ、上記ステップ２００で読取った画像データのプリントサイズを変更するための指示である。ステップ２２０の判断は、上記と同様に、スイッチ２９の指示入力を判別することで判断可能である。例えば、ＬＣＤ２４上に、変更サイズの記憶を指示するための項目を表示する。そして、表示された変更サイズの記憶を指示する項目がユーザの十字ボタン２８の操作によって選択された後に、実行ボタン３６が押圧操作されることによって出力される変更サイズの記憶を指示する信号の入力を判別することによって判断することができる。
【００６１】
ステップ２２０で、否定されるとステップ２１２へ戻り、肯定されると、ステップ２２２へ進み、記録メディア１８に記憶された画像データのプリントサイズの更新処理が実行される。ステップ２２２の処理は、まず、記録メディア１８に格納された上記ステップ２００で読取った画像データに該当する画像データを把握する。次に、把握した画像データに上記ステップ２１４でＲＡＭ６６に記憶されたプリントサイズを示すデータを関連付けて記憶することによって更新処理が実行される。
【００６２】
次にステップ２２４では、コマ送り指示がなされたか否かを判断する。ステップ２２４の判断は、字ボタン２８の左右矢印部分がユーザによって操作されたか否かを判別することによって判断可能である。
【００６３】
ステップ２２４で否定されると、本ルーチンを終了し、肯定されるとステップ２２６へ進み、再生指示コマ番号をインクリメント又はデクリメントすることによって、記録メディア１８に記録された次の画像データを読取った後にステップ２０２へ戻る。
【００６４】
例えば、上記ステップ２１０の表示処理によって、ＬＣＤ２４には、図５（Ａ）に示すＬＣＤサイズの画像３００が表示される。また、上記ステップ２０６の表示処理においては、例えばＡ３サイズのプリントサイズ３０２が設定された場合、ＬＣＤ２４には、プリントサイズ３０２の画像の内の表示領域の画像３０４が表示される。このように、上記ステップ２０６において、ＬＣＤ２４には、プリントサイズ３０２の大きさのプリントサイズの画像の内の、表示領域に相当する一部の領域の画像が表示される。
【００６５】
このため、プリントされた状態の撮影画像をユーザに対して提供することが可能となる。従って、ユーザは、プリントサイズの画像の表示領域の画像３０４に含まれる輪郭線３０６が、撮影処理時の手ぶれ等により輪郭線３０８を伴う二重線になった状態でプリントされる可能性があることを、デジタルカメラ１０のＬＣＤ２４において確認することが可能となる。
【００６６】
また、上記ステップ２１２乃至ステップ２２０の処理が繰り返し実行されることによって、例えば、図６に示すように、Ａ３サイズのプリントサイズの表示領域の画像３１２、Ａ４サイズのプリントサイズの表示領域の画像３１４、Ｌサイズのプリントサイズの表示領域の画像３１６を、順次ＬＣＤ２４で確認することができる。このため、ユーザは、得られた撮影画像の最も好ましいプリントサイズを確認することが可能となる。
【００６７】
なお、上記ステップ１０６、ステップ１２０、及びステップ２１２の処理が本発明の撮像装置の設定手段の機能に相当する。また、上記ステップ２０６の乃至ステップ２１８の処理が本発明の撮像装置の表示手段の機能に相当し、ステップ２０４、ステップ２０５、ステップ２１６、及びステップ２１７の処理が本発明の生成手段の機能に相当する。また、上記ステップ２０５及びステップ２１７の処理が、本発明の設定手段の機能に相当する。
【００６８】
以上説明したように、本実施の形態のデジタルカメラ１０によれば、撮影によって得られた撮影画像の画像データから、入力されたプリントサイズの大きさのプリントサイズの画像の画像データを生成し、生成したプリントサイズの画像からＬＣＤ２４に表示可能な表示領域の画像の画像データを抽出し、ＬＣＤ２４に表示することができるので、ユーザに対して出力された状態の撮影画像を視認可能に提供することができる。このため、撮影画像を出力する前に、デジタルカメラ１０において出力されるプリントサイズの画像を視認可能に提供することができる。従って、撮影チャンスが残っている段階で撮影画像の取捨選択ができ、必要に応じて取り直しをすることも可能となる。
【００６９】
また、サイズ変更指示によって、指示入力されたサイズのプリントサイズの画像をＬＣＤ２４に表示することができるので、得られた撮影画像の最も好ましいプリントサイズをユーザに対して視認可能に提供することが可能となる。
【００７０】
また、再生処理時に、記録メディア１８に記録された該画像データのプリントサイズのデータを更新することができるので、ユーザの意図する画像データに最適なプリント出力の支援を行うことが可能となる。
【００７１】
なお、本実施の形態では、撮影によって得られた撮影画像の出力形態として、撮影によって得られた撮影画像を用紙、印画紙等の記録媒体に出力する場合を想定して説明したが、このような形態に限られるものではなく、ＣＲＴやＬＣＤ等の表示装置への出力においても、同様の効果を得ることができる。
【００７２】
また、本実施の形態では、プリントサイズとして、Ａ３、Ａ４、及びＬサイズを採用する場合を説明したが、このようなサイズに限られるものではない。例えば、予めプリントサイズとしてＥＥＰＲＯＭ８０、ＲＡＭ６６に様々なサイズを示す情報を記憶し、スイッチ２９の操作入力によって設定可能とすればよい。
【００７３】
なお、本実施の形態では、プリントサイズの画像の内の表示領域の画像表示は、上記ステップ１２８の再生処理時に実行されるものとして説明したが、上記ステップ１１２の撮影処理実行後、上記ステップ１２２またはステップ１２１の記録メディア１８への画像データ及びサイズの記録処理終了後に、実行されるようにしてもよい。このようにすれば、撮影処理終了直後に、ユーザに対して出力されるプリントサイズの画像を視認可能に提供することができる。
【００７４】
【発明の効果】
以上説明したように、本発明の撮像装置によれば、撮影によって得られる画像データによる撮影画像の画像データから、設定された出力サイズに応じた大きさの一時画像の一時画像データを生成し、一時画像データの一時画像の一部を表示領域として表示手段に表示することができるので、出力されるプリントサイズに応じた画像を視認可能に提供することができる、という効果を有する。
【図面の簡単な説明】
【図１】本実施の形態に係るデジタルカメラの主要構成を示すブロック図である。
【図２】本実施の形態に係るデジタルカメラの外観図の一例であり、（Ａ）は本発明の実施の形態に係るデジタルカメラの正面図であり、（Ｂ）は本発明の実施の形態に係るデジタルカメラの背面図である。
【図３】本実施の形態に係るデジタルカメラにおける処理の流れを示すフローチャートである。
【図４】本実施の形態に係るデジタルカメラにおける再生処理の流れを示すフローチャートである。
【図５】ＬＣＤの表示画像の一例を示す模式図であり、（Ａ）はＬＣＤサイズの画像表示を示す模式図であり、（Ｂ）はプリントサイズの画像表示を示す模式図である。
【図６】ＬＣＤの表示画像の一例を示すものであり、プリントサイズ変更指示入力による表示画像の遷移を示す模式図である。
【符号の説明】
１０  デジタルカメラ
１８    記録メディア
２４    ＬＣＤ
２９    スイッチ
６７    画像再生処理回路
６８    表示制御部
【図１】
2004320111.tif 000003
【図２】
2004320111.tif 000004
【図３】
2004320111.tif 000005
【図４】
2004320111.tif 000006
【図５】
2004320111.tif 000007
【図６】
2004320111.tif 000008